(57)【要約】  【課題】大サイズのシートや原稿が切欠において、また長尺の原稿やシートが原稿台の端部においてその端部が垂れ下がることによる不具合を抑制し、かつ小サイズのシートや原稿のセット時にも視認性及びアクセス性を損なうことがなく、さらにコストアップすることなく装置の小型化を図ることが可能な原稿搬送装置を提供する。  【解決手段】原稿を積載しその原稿搬送方向上流側端部の一部に切欠５４を有する原稿積載手段５２と、原稿積載手段５２に積載された原稿の幅方向の揃えを行うガイド部材５３とを有する原稿搬送装置５１において、ガイド部材５３は一体的に形成され切欠５４を覆う突出部材５８を設けた。【選択図】図５
2013129509.tif 000002
【特許請求の範囲】
【請求項１】
原稿を積載しその原稿搬送方向上流側端部の一部に切欠を有する原稿積載手段と、前記原稿積載手段に積載された原稿の幅方向の揃えを行うガイド部材とを有する原稿搬送装置において、
前記ガイド部材は一体的に形成され前記切欠を覆う突出部材を有することを特徴とする原稿搬送装置。
【請求項２】
原稿を積載する原稿積載手段と、前記原稿積載手段に積載された原稿の幅方向の揃えを行うガイド部材とを有し、原稿として前記原稿積載手段からはみ出す長尺原稿が用いられる原稿搬送装置において、
前記ガイド部材は一体的に形成され前記原稿積載手段からはみ出た長尺原稿の端部が載置される突出部材を有することを特徴とする原稿搬送装置。
【請求項３】
請求項１または２記載の原稿搬送装置において、
前記突出部材は原稿搬送方向上流側に向けて延出可能な補助部材を有することを特徴とする原稿搬送装置。
【請求項４】
請求項３記載の原稿搬送装置において、
前記補助部材は前記突出部材に対して摺動自在に設けられていることを特徴とする原稿搬送装置。
【請求項５】
請求項３記載の原稿搬送装置において、
前記補助部材は前記突出部材に対して回動自在に設けられていることを特徴とする原稿搬送装置。
【請求項６】
請求項１ないし５の何れか１つに記載の原稿搬送装置を有することを特徴とする画像読取装置。
【請求項７】
請求項１ないし５の何れか１つに記載の原稿搬送装置を有することを特徴とする画像形成装置。
【発明の詳細な説明】
【技術分野】
【０００１】
本発明は、複写機、スキャナ、ファクシミリ、プリンタ等の画像形成装置に関し、詳しくは原稿を搬送する原稿搬送装置に関する。
【背景技術】
【０００２】
スキャナ、ファクシミリ、複写機等の画像形成装置に搭載されている原稿搬送装置において、小サイズの記録シートを搬送するにあたり、ガイド部材でシートを規制する際に搬送を妨げずかつ斜行を防止する技術が、例えば「特許文献１」に開示されている。このような原稿搬送装置は、原稿台の下に読み取った原稿の排紙スタック位置が設けられているため、原稿台の端部を切り欠いて読取が完了した原稿の取り出し性や視認性を向上させている。
【発明の概要】
【発明が解決しようとする課題】
【０００３】
しかし上述の技術では、原稿台端部に切欠を設けることで、読取が完了して排紙スタック部へとスタックされた原稿のアクセス性は改善されるものの、大サイズの原稿やシートを原稿台に載置すると切欠から原稿やシートの端部が垂れ下がり、原稿やシートが斜行したり原稿台下部の排紙スタック部のシートと干渉したりしてスタック不良が発生するという問題点がある。また、長尺の原稿やシートを読み取ろうとすると切欠の有無に拘わらず原稿やシートが原稿台端部より垂れ下がり、同様の不具合が生じてしまう。  
本発明は上述の問題点を解決し、大サイズのシートや原稿が切欠において、また長尺の原稿やシートが原稿台の端部においてその端部が垂れ下がることによる不具合を抑制し、かつ小サイズのシートや原稿のセット時にも視認性及びアクセス性を損なうことがなく、さらにコストアップすることなく装置の小型化を図ることが可能な原稿搬送装置の提供を目的とする。
【課題を解決するための手段】
【０００４】
請求項１記載の発明は、原稿を積載しその原稿搬送方向上流側端部の一部に切欠を有する原稿積載手段と、前記原稿積載手段に積載された原稿の幅方向の揃えを行うガイド部材とを有する原稿搬送装置において、前記ガイド部材は一体的に形成され前記切欠を覆う突出部材を有することを特徴とする。
【０００５】
請求項２記載の発明は、原稿を積載する原稿積載手段と、前記原稿積載手段に積載された原稿の幅方向の揃えを行うガイド部材とを有し、原稿として前記原稿積載手段からはみ出す長尺原稿が用いられる原稿搬送装置において、前記ガイド部材は一体的に形成され前記原稿積載手段からはみ出た長尺原稿の端部が載置される突出部材を有することを特徴とする。
【発明の効果】
【０００６】
本発明によれば、大サイズの原稿やシートの端部が原稿積載手段の切欠から垂れ下がることを防止でき、原稿やシートが斜行したり原稿積載手段の下部に設けられた排紙トレイのシートと干渉したりしてスタック不良が発生するという問題点の発生を確実に防止することができ、小サイズのシートや原稿のセット時にも視認性及びアクセス性を損なうことがなく、さらにコストアップすることなく装置の小型化を図ることが可能な原稿搬送装置を提供することができる。
【０００７】
本発明によれば、長尺の原稿やシートが原稿台の端部から垂れ下がることを防止でき、原稿やシートが斜行したり原稿積載手段の下部に設けられた排紙トレイのシートと干渉したりしてスタック不良が発生するという問題点の発生を確実に防止することができ、小サイズのシートや原稿のセット時にも視認性及びアクセス性を損なうことがなく、さらにコストアップすることなく装置の小型化を図ることが可能な原稿搬送装置を提供することができる。
【図面の簡単な説明】
【０００８】
【図１】本発明の一実施形態を適用可能な原稿搬送装置の概略図である。
【図２】本発明の一実施形態を適用可能な原稿搬送装置の制御ブロック図である。
【図３】本発明の一実施形態を適用可能な原稿搬送装置の制御ブロック図である。
【図４】従来の原稿搬送装置の問題点を説明する概略図である。
【図５】本発明の第１の実施形態に用いられる原稿搬送装置を説明する概略図である。
【図６】本発明の第１の実施形態に用いられるガイド部材の概略図である。
【図７】（ａ），（ｂ）従来の原稿搬送装置の問題点を説明する概略図（ｃ）本発明の第２の実施形態に用いられる原稿搬送装置を説明する概略図である。
【図８】本発明の第３の実施形態に用いられるガイド部材の概略図である。
【図９】本発明の第４の実施形態に用いられるガイド部材の概略図である。
【発明を実施するための形態】
【０００９】
図１は、本発明の一実施形態を適用可能な原稿読取装置を示しており、図２、図３はこの原稿読取装置の制御ブロック図をそれぞれ示している。この原稿読取装置は、被読取原稿束をセットする原稿セット部Ａ、セットされた原稿束から原稿を１枚分離して給送する分離給送部Ｂ、給送された原稿を一時的に整合し整合後の原稿を搬送するレジスト部Ｃ、搬送される原稿をターンさせて画像面を読取側に向けて搬送するターン部Ｄ、原稿の表面画像をコンタクトガラスの下方より読み取る第１読取搬送部Ｅ、原稿の裏面画像を読み取る第２読取搬送部Ｆ、読み取りが完了した原稿を排出する排紙部Ｇ、排出された原稿をスタックするスタック部Ｈ、これ等搬送動作の駆動を行う駆動部１０１〜１０８、さらに一連の動作を制御するコントローラ部１００等を有している。
【００１０】
可動原稿テーブル３を含む原稿積載手段としての原稿テーブル２上には、読み取られる原稿束１が画像面を上向きの状態でセットされ、さらに原稿束１は後述するガイド部材としてのサイドガイドによって搬送方向と直交する幅方向の位置決めを行われる。原稿束１のセットはセットフィラ４、セットセンサ５によってそれぞれ検知され、Ｉ／Ｆ１０７によって本体制御部１１１に送信される。さらに原稿テーブル２に設けられた原稿長さ検知センサ３０，３１（反射型センサまたはアクチュエータタイプのセンサ）により原稿束１の搬送方向長さの概略が判定される（少なくとも同一原稿サイズの縦か横かを判断可能なセンサが必要）。
【００１１】
可動原稿テーブル３は底板上昇モータ１０５によって図のａ，ｂ方向に上下動され、原稿束１がセットされたことがセットフィラ４、セットセンサ５により検知されると底板上昇モータ１０５が正転され、原稿束１の最上面がピックアップローラ７と接触するように可動原稿テーブル３が上昇される。ピックアップローラ７はピックアップモータ１０１により図のｃ，ｄ方向に動作し、可動テーブル３が上昇して可動テーブル３上の原稿上面により押されてｃ方向に上昇し、テーブル上昇検知センサ８によって上限を検知される。本体操作部１０８よりプリントキーが押され、本体制御部１１１からＩ／Ｆ１０７を介してコントローラ部１００に原稿給送信号が送信されると、ピックアップローラ７はピックアップ搬送モータ１１５の作動によって回転駆動され、原稿テーブル２上の数枚の原稿をピックアップする。回転方向は最上位の原稿を給紙口に搬送する方向である。なお、本実施形態では原稿テーブル昇降手段とピックアップ昇降手段との双方を有しているが、ピックアップローラ７を離間あるいは圧接させる手段としては何れか一方のみでもよい。
【００１２】
給紙ベルト９は給紙モータ１０２の正転により給紙方向に駆動され、リバースローラ１０は給紙モータ１０２の正転によって給紙方向とは逆方向に回転駆動されて最上位の原稿とその下の原稿とを分離して最上位の原稿のみを給送する。さらに詳しく説明すると、リバースローラ１０は給紙ベルト９と所定圧で接し、給紙ベルト９と直接接触しているとき、または原稿１枚を介して接している状態では給紙ベルト９の回転に従動して反時計回り方向に従動回転し、原稿が２枚以上給紙ベルト９とリバースローラ１０との間に進入したときには連れ回り力が内蔵されたトルクリミッタのトルクよりも低くなるように設定されており、リバースローラ１０は本来の駆動方向である時計回り方向に回転して余分な原稿を押し戻して重送が防止される。
【００１３】
給紙ベルト９とリバースローラ１０との作用により１枚に分離された原稿は、給紙ベルト９によってさらに送られて突き当てセンサ１１によってその先端を検知された後、さらに送られて停止しているプルアウトローラ１２に突き当てられる。その後、突き当てセンサ１１の検知から定められた所定量送られ、プルアウトローラ１２との間に所定量の撓みが形成された状態で給紙モータ１０２が停止されて給紙ベルト９の作動が停止する。このとき、ピックアップモータ１０１を回転させることでピックアップローラ７を原稿上面より退避させ、原稿を給紙ベルト９の搬送力のみで送ることにより、原稿先端はプルアウトローラ１２のニップに進入して先端の整合（スキュー補正）が行われる。
【００１４】
プルアウトローラ１２はスキュー補正機能を有すると共に、分離後にスキュー補正された原稿を中間ローラ１４まで搬送するためのローラであり、プルアウトモータ１１３の逆転により駆動される。このときプルアウトローラ１２を独立した駆動であるプルアウトモータ１１３によって駆動することにより、モータの立ち上げ時間及び立ち下げ時間を短縮することが可能となり、生産性が向上する。原稿幅センサ１３は奥行き方向に複数個並べられ、プルアウトローラ１２により搬送された原稿の搬送方向に直交する幅方向のサイズを検知する。また、原稿の搬送方向の長さは、原稿の先端及び後端を突き当てセンサ１１で読み取ることによりモータパルスから原稿の長さを検知する。プルアウトローラ１２及び中間ローラ１４の駆動によりレジスト部Ｃからターン部Ｄに原稿が搬送される際には、レジスト部Ｃでの搬送速度を第１読取搬送部Ｅでの搬送速度よりも高速に設定して原稿を読取部へ送り込む処理時間の短縮が図られている。
【００１５】
原稿先端が読取入口センサ１５により検知されると、読取入口ローラ１６のニップに原稿先端が進入する前に原稿搬送速度を所定の速度とするために減速を開始すると同時に、読取入口モータ１１４を正転させて読取入口ローラ１６を、また読取モータ１０３を正転させて読取出口ローラ２３、ＣＩＳ出口ローラ２７をそれぞれ駆動する。原稿の先端をレジストセンサ１７によって検知すると所定の搬送距離をかけて減速し、読取位置２０の手前で一時停止させると共に本体制御部１１１にＩ／Ｆ１０７を介してレジスト停止信号を送信する。続いて本体制御部１１１より読取開始信号を受信すると、停止していた原稿は読取位置２０に原稿先端が到達するまでに所定の搬送速度に立ち上がるように増速されて搬送される。読取入口モータ１１４のパルスカウントにより検出された原稿先端が読取部に到達するタイミングで、本体制御部１１１に対して第１面の副走査方向有効画像領域を示すゲート信号が第１読取部を原稿後端が抜けるまで送信される。なお、生産性を上げるために読取入口ローラ１６において所定の速度となるように減速し、読取位置２０の手前で一時停止しないまま読取位置２０に達するまでに所定の読取速度となるように制御する。このとき、読取入口ローラ１６にて線速差が生じることにより、読取入口ローラ１６及びその上流にて原稿の撓みが発生し、スキューの補正を行うことができる。
【００１６】
片面原稿読取の場合には、第１読取搬送部Ｅを通過した原稿は第２読取搬送部Ｆを経て排紙部Ｇへと搬送される。このとき排紙センサ２４により原稿の先端が検知されると、排紙モータ１０４が正転して排紙ローラ２８が反時計回り方向に回転する。また、排紙センサ２４による原稿の先端検知からの排紙モータ１０４のパルスカウントに基づき、原稿後端が排紙ローラ２８のニップから抜ける直前に排紙モータ１０４の駆動速度を減速させ、排紙トレイ２９上に排出される原稿が飛び出さないように制御される。
【００１７】
両面原稿読取の場合には、排紙センサ２４にて原稿先端を検知してから読取モータ１０３のパルスカウントに基づいて第２読取部２５に原稿先端が到達するタイミングで第２読取部２５に対してコントローラ部１００から副走査方向の有効画像領域を示すゲート信号が読取部を原稿後端が抜けるまで送信される。第２読取ローラ２６は第２読取部２５における原稿の浮きを抑えると同時に、第２読取部２５におけるシェーディングデータを取得するための基準白部を兼ねるものである。なお本実施形態では、第２読取部２５がなく反転もしくはスイッチバック経路を用いて第１読取搬送部Ｅに再度戻ることにより、裏面を読み取る構成であってもよい。
【００１８】
図４は、図示しない画像形成装置に取り付けられた図示しない原稿読取装置に用いられる端面基準の原稿搬送装置５１を示しており、原稿搬送装置５１は図示しない原稿読取装置に対して開閉自在に接続されている。ここで図示しない画像形成装置は、図示しない複数の感光体ドラムを有し、転写紙に対してフルカラー画像を形成可能なカラー複写機であり、原稿搬送装置５１は装置奥側の端面基準で原稿画像を読み取る方式である。
【００１９】
図４に示す構成では、原稿搬送装置５１は上述した原稿テーブル２と同様の原稿積載手段としての原稿トレイ５２と、原稿トレイ５２上に積載された原稿の搬送方向とは直交する幅方向の揃えを行うガイド部材５３と、原稿を送り出す呼び出しコロ５５とを有している。また原稿トレイ５２の下方には、上述した排紙トレイ２９と同様に読み取られた原稿が排出される図示しない排紙トレイが設けられている。このように原稿トレイ５２の下方に図示しない排紙トレイが配設されているため、排出された原稿の視認性を確保するため及び取り出し性を向上させるため、原稿トレイ５２には切欠５４が設けられている。原稿トレイ５２には２個の規制部材５６が、ガイド部材５３には各規制部材５６間にレール部材５７がそれぞれ一体的に設けられており、ガイド部材５３はレール部材５７が各規制部材５６によって案内されることにより図４（ａ）において右斜め下方へと移動可能に構成されている。
【００２０】
このように切欠５４が設けられていることから、図４（ａ）に示すように原稿トレイ５２上に小サイズの原稿が載置される場合には問題とならないが、図４（ｂ）に示すように原稿トレイ５２上に大サイズの原稿が載置される場合には、原稿の角部が切欠５４上に位置して垂れ下がり、原稿の正常な搬送を阻害してしまうという問題点がある。
【００２１】
図５は、上述した従来技術の問題点を解決する本願発明の第１の実施形態を示している。図５に示した構成では、ガイド部材５３に突出部材５８が一体的に設けられている。突出部材５８は、図６に示すようにガイド部材５３の原稿搬送方向上流側端部にその端部を揃える位置であって、原稿トレイ５２の上面に対して摺動自在に設けられており、図５（ｂ）に示すように原稿トレイ５２上に大サイズの原稿が載置される場合において、切欠５４を覆うように構成されている。
【００２２】
この構成により、大サイズの原稿やシートの端部が原稿トレイ５２の切欠５４から垂れ下がることを防止でき、原稿やシートが斜行したり原稿トレイ５２の下部の排紙トレイのシートと干渉したりしてスタック不良が発生するという問題点の発生を確実に防止することができ、小サイズのシートや原稿のセット時にも視認性及びアクセス性を損なうことがなく、さらにコストアップすることなく装置の小型化を図ることが可能な原稿搬送装置を提供することができる。
【００２３】
図７（ａ）,（ｂ）は、図示しない画像形成装置に取り付けられた図示しない原稿読取装置に用いられる中央基準の原稿搬送装置５９を示しており、原稿搬送装置５９は図示しない原稿読取装置に対して開閉自在に接続されている。
【００２４】
図７（ａ），（ｂ）に示す構成では、原稿搬送装置５９は原稿積載手段としての原稿トレイ５２と、ガイド部材５３と同様の働きをする一対のガイド部材６０と、呼び出しコロ５５とを有している。この構成において、図７（ａ）に示すように原稿トレイ５２上に小サイズの原稿が載置される場合には問題とならないが、図７（ｂ）に示すように原稿トレイ５２上に長尺の原稿が載置される場合には、原稿の端部が原稿トレイ５２上よりはみ出して垂れ下がり、原稿の正常な搬送を阻害してしまうという問題点がある。これを防止するためには延長部材６１を別途設けなくてはならず、部品点数が増えてコストアップしてしまう。
【００２５】
図７（ｃ）は、上述した従来技術の問題点を解決する本願発明の第２の実施形態を示している。図７（ｃ）に示した構成では、各ガイド部材６０に突出部材６２がそれぞれ一体的に設けられている。突出部材６２は突出部材５８と同様に、ガイド部材６０の原稿搬送方向上流側端部にその端部を揃える位置であって、原稿トレイ５２の上面に対して摺動自在に設けられており、図７（ｃ）に示すように原稿トレイ５２上に長尺の原稿が載置される場合において、原稿の端部を受けるように構成されている。
【００２６】
この構成により、長尺の原稿やシートの端部が原稿トレイ５２の端部から垂れ下がることを防止でき、原稿やシートが斜行したり原稿トレイ５２の下部の排紙トレイのシートと干渉したりしてスタック不良が発生するという問題点の発生を確実に防止することができ、コストアップすることなく装置の小型化を図ることが可能な原稿搬送装置を提供することができる。
【００２７】
図８は、本発明の第３の実施形態に用いられるガイド部材６３を示している。このガイド部材６３は、第１の実施形態で示したガイド部材５３と比較すると、突出部材５８に対して原稿搬送方向に向けて摺動自在に設けられた補助部材６４を有する点においてのみ相違しており、他の構成は同様である。ガイド部材６３はガイド部材５３，６０に代えて用いられ、ガイド部材６３を用いることにより、第１及び第２の実施形態における作用効果に加えて長尺用紙の端部が垂れ下がることを防止でき、原稿の搬送性をさらに向上することができる。
【００２８】
図９は、本発明の第４の実施形態に用いられるガイド部材６５を示している。このガイド部材６５は、第１の実施形態で示したガイド部材５３と比較すると、突出部材５８に対して回動自在に設けられた補助部材６６を有する点においてのみ相違しており、他の構成は同様である。ガイド部材６５はガイド部材５３，６０に代えて用いられ、ガイド部材６５を用いることによりガイド部材６３を用いたときと同様の作用効果を得ることができる。
【００２９】
上記実施形態では画像形成装置として複数の感光体ドラムを有するカラー複写機を用いた例を示したが、本発明が適用可能な画像形成装置はこれに限定されず、プリンタ、プロッタ、ファクシミリ、これらの複合機、感光体ドラムを１つのみ有するモノクロ複写機等の他の画像形成装置にも本発明は適用可能である。
【符号の説明】
【００３０】
５１  原稿搬送装置
５２  原稿積載手段（原稿トレイ）
５３，６０，６３，６５  ガイド部材
５４  切欠
５８，６２  突出部材
６４，６６  補助部材
【先行技術文献】
【特許文献】
【００３１】
【特許文献１】特開２００７−２４６１８８号公報
【図１】
2013129509.tif 000003
【図２】
2013129509.tif 000004
【図３】
2013129509.tif 000005
【図４】
2013129509.tif 000006
【図５】
2013129509.tif 000007
【図６】
2013129509.tif 000008
【図７】
2013129509.tif 000009
【図８】
2013129509.tif 000010
【図９】
2013129509.tif 000011